(57)【要約】【課題】ロッカーなどの家具を買い換えることなく、扉体に組み付けられた錠のみを簡単にダイヤル錠に付け替えることを可能とする。【解決手段】扉体１に組み付けられた錠をダイヤル錠２に付け替えるための錠付替え方法であり、扉体１の前面に取っ手を取り付けるために形成された貫通孔１５を扉体１の前面より覆うことが可能な大きさの取付基板３に貫通孔１５より小さな外形のダイヤル錠２を取り付けてダイヤル錠組付ユニット４を製作する工程と、扉体１に組み付けられている取っ手および錠を取り外して貫通孔１５を開放状態にする工程と、ダイヤル錠組付ユニット４をダイヤル錠２が貫通孔１５に嵌るように扉体１の前面の決められた位置に位置決めして取付基板３を扉体１の前面に固着する工程とを順次実施して錠を付け替える。【選択図】図７
2015031143.tif 000002
【特許請求の範囲】
【請求項１】
家具本体の前面の開放された部分を開閉する扉体に組み付けられた錠をダイヤル錠に付け替えるための錠付替え方法であって、
前記扉体の前面に取っ手を取り付けるために形成された貫通孔を扉体の前面より覆うことが可能な大きさの取付基板に前記貫通孔より小さな外形のダイヤル錠を取り付けてダイヤル錠組付ユニットを製作する工程と、前記扉体に組み付けられている取っ手および錠を取り外して前記貫通孔を開放状態にする工程と、前記ダイヤル錠組付ユニットをダイヤル錠が前記貫通孔に嵌るように扉体の前面の決められた位置に位置決めして取付基板を扉体の前面に固着する工程とを順次実施して錠を付け替えることを特徴とするものであり、
前記ダイヤル錠は、前面の操作部に解錠符号を揃えるのに操作される複数個のダイヤルと家具本体の前面の開放された部分の周縁部に対して掛け金具を係脱させるのに操作されるつまみとを有し、前記取付基板には、ダイヤル錠組付ユニットを扉体の前面の決められた位置に位置決めしたときの前記貫通孔に対応する位置に、ダイヤル錠の外形に合わせた取付孔が形成されており、前記ダイヤル錠組付ユニットは、前記取付基板の取付孔に前記操作部を前面に臨ませた状態でダイヤル錠が取り付けられている錠付替え方法。
【請求項２】
家具本体の前面の開放された部分を開閉する扉体に組み付けられた錠をダイヤル錠に付け替えるための錠付替え方法であって、
前記扉体に組み付けられている取っ手および錠を取り外して扉体の前面に前記取っ手および錠を取り付けるために形成された貫通孔を開放状態にする工程と、前記扉体の貫通孔を扉体の前面より覆うことが可能な大きさの取付基板を扉体の前面の決められた位置に位置決めして扉体に固着する工程と、前記取付基板に前記貫通孔より小さな外形のダイヤル錠を取り付ける工程とを順次実施して錠を付け替えることを特徴とするものであり、
前記ダイヤル錠は、前面の操作部に解錠符号を揃えるのに操作される複数個のダイヤルと家具本体の前面の開放された部分の周縁部に対して掛け金具を係脱させるのに操作されるつまみとを有し、前記取付基板には、取付基板を扉体の前面の決められた位置に位置決めしたときの前記貫通孔に対応する位置に、ダイヤル錠の外形に合わせた取付孔が形成されており、前記ダイヤル錠は、前記取付基板の取付孔に前記操作部を前面に臨ませた状態で取り付けられる錠付替え方法。
【請求項３】
家具本体の前面の開放された部分を開閉する扉体に組み付けられた錠をダイヤル錠に付け替えるのに用いられる錠付替えユニットであって、
前記扉体の前面に取っ手を取り付けるために形成された貫通孔を扉体の前面より覆うことが可能な大きさの取付基板と、前記取付基板に取り付けられる前記貫通孔より小さな外形のダイヤル錠と、前記取付基板を扉体の前面に貼設するための貼設部材とから成り、前記ダイヤル錠は、前面の操作部に解錠符号を揃えるのに操作される複数個のダイヤルと家具本体の前面の開放された部分の周縁部に対して掛け金具を係脱させるのに操作されるつまみとを有し、前記取付基板には、取付基板を扉体の前面の決められた位置に位置決めしたときの前記貫通孔に対応する位置に、ダイヤル錠の外形に合わせた取付孔が形成されており、前記ダイヤル錠は、前記取付基板の取付孔に前記操作部を前面に臨ませた状態で取り付けることが可能に構成されて成る錠付替えユニット。
【請求項４】
前記貼設部材は、両面に粘着面を備えた粘着シートより成り、一方の粘着面が取付基板の裏面に貼着され、他方の粘着面は剥離紙により被覆されている請求項３に記載された錠付替えユニット。
【発明の詳細な説明】
【技術分野】
【０００１】
この発明は、ロッカー、キャビネットなどの家具に組み付けられた錠をダイヤル錠に付け替えるための錠付替え方法およびその方法の実施に用いられる錠付替えユニットに関する。
【背景技術】
【０００２】
典型的なロッカーは、図１５に示すように、ロッカー本体１０の前面の開放された部分１１に扉体１がヒンジ機構１２により開閉可能に取り付けられて成るものである。扉体１の前面には扉体１を開閉操作するための取っ手１３が設けられ、扉体１には鍵操作により解錠、施錠するシリンダ錠１４が組み付けられている。この種のロッカーは、図書館などの公共施設、スポーツクラブやゴルフ場などのスポーツ施設など、多くの施設に設置されているが、ロッカーの使用者において鍵を紛失するトラブルが頻発し、その度に錠の交換を検討することが必要となるなど、錠の保守、管理が煩雑であるという問題がある。
【０００３】
そのような問題に鑑み、シリンダ錠に代えて、図１６に示すようなダイヤル錠２が組み付けられたロッカーも提案されている（例えば、特許文献１参照）。一般にダイヤル錠２は、予め決められた特定の解錠符号列またはロッカーが使用される度に設定された解錠符号列が記憶機構に記憶されており、ロッカー使用者は、ロッカーに荷を入れるに際して、複数個のダイヤル２１を回動操作し、解錠符号列を整列させて解錠状態にした後、つまみ２２を操作して扉を開く。ロッカーに荷物を入れると、つまみ２２を操作して扉を閉じた後、再びダイヤル２１を回動操作し、解錠符号列を崩して施錠状態にする。
【０００４】
ロッカーより荷物を取り出すときも、複数個のダイヤル２１を回動操作し、解錠符号列を整列させて解錠状態にした後、つまみ２２を操作して扉を開く。ロッカーより荷物を取り出すと、つまみ２２を操作して扉を閉じた後、特に特定の解錠符号列があらかじめ決められているロッカーの場合は、再びダイヤル２１を回動操作し、解錠符号列を崩して施錠状態にする。ダイヤル錠２は解錠、施錠のために鍵を必要としないので、ロッカー使用者は鍵を保管する必要がなく、鍵の紛失に伴うトラブルが発生することはない。
【先行技術文献】
【特許文献】
【０００５】
【特許文献１】特開２０１０−３７８１６号公報
【発明の概要】
【発明が解決しようとする課題】
【０００６】
鍵操作を必要とするロッカーが設置された施設においては、鍵の紛失に伴うトラブルの発生を回避するために、ダイヤル錠が組み付けられたロッカーに買い換えることが検討されているが、ロッカーの設置個数が多い場合、ロッカーの買い替え費用が膨大な金額に達するため、買い替えを断念せざるを得ないという問題がある。
【０００７】
この発明は、上記の問題に着目してなされたもので、ロッカーなどの家具を買い換えることなく、扉体に組み付けられた錠のみを簡単にダイヤル錠に付け替えることを可能とした錠付替え方法および錠付替えユニットを提供し、もって安価な費用により鍵紛失に伴うトラブルの発生を回避できるようにすることを目的とする。
【課題を解決するための手段】
【０００８】
この発明による錠付替え方法は、家具本体の前面の開放された部分を開閉する扉体に組み付けられた錠をダイヤル錠に付け替えるためのものであり、前記扉体の前面に取っ手を取り付けるために形成された貫通孔を扉体の前面より覆うことが可能な大きさの取付基板に前記貫通孔より小さな外形のダイヤル錠を取り付けてダイヤル錠組付ユニットを製作する工程と、前記扉体に組み付けられている取っ手および錠を取り外して前記貫通孔を開放状態にする工程と、前記ダイヤル錠組付ユニットをダイヤル錠が前記貫通孔に嵌るように扉体の前面の決められた位置に位置決めして取付基板を扉体の前面に固着する工程とを順次実施して錠を付け替えることを特徴とするものである。前記ダイヤル錠は、前面の操作部に解錠符号を揃えるのに操作される複数個のダイヤルと家具本体の前面の開放された部分の周縁部に対して掛け金具を係脱させるのに操作されるつまみとを有し、前記取付基板には、ダイヤル錠組付ユニットを扉体の前面の決められた位置に位置決めしたときの前記貫通孔に対応する位置に、ダイヤル錠の外形に合わせた取付孔が形成されており、前記ダイヤル錠組付ユニットは、前記取付基板の取付孔に前記操作部を前面に臨ませた状態でダイヤル錠が取り付けられている。
【０００９】
この発明によれば、取っ手が組み付けられていた貫通孔の位置にダイヤル錠組付ユニットに組み付けられたダイヤル錠を位置させて扉体の前面に取付基板を取り付けるだけで、扉体に特別な加工を施すことなく、簡単に錠を付け替えることが可能である。
【００１０】
また、この発明による他の錠付替え方法は、前記扉体に組み付けられている取っ手および錠を取り外して扉体の前面に前記取っ手および錠を取り付けるために形成された貫通孔を開放状態にする工程と、前記扉体の貫通孔を扉体の前面より覆うことが可能な大きさの取付基板を扉体の前面の決められた位置に位置決めして扉体に固着する工程と、前記取付基板に前記貫通孔より小さな外形のダイヤル錠を取り付ける工程とを順次実施して錠を付け替えることを特徴とするものである。前記ダイヤル錠は、前面の操作部に解錠符号を揃えるのに操作される複数個のダイヤルと家具本体の前面の開放された部分の周縁部に対して掛け金具を係脱させるのに操作されるつまみとを有し、前記取付基板には、取付基板を扉体の前面の決められた位置に位置決めしたときの前記貫通孔に対応する位置に、ダイヤル錠の外形に合わせた取付孔が形成されており、前記ダイヤル錠は、前記取付基板の取付孔に前記操作部を前面に臨ませた状態で取り付けられる。
【００１１】
この発明によれば、扉体の前面に取付基板を固着し、その取付基板にダイヤル錠を取り付けるだけで、扉体に特別な加工を施すことなく、簡単に錠を付け替えることが可能である。
【００１２】
この発明による錠付替えユニットは、家具本体の前面の開放部分を開閉する扉体に組み付けられた錠をダイヤル錠に付け替えるのに用いられるものであって、前記扉体の前面に取っ手を取り付けるために形成された貫通孔を扉体の前面より覆うことが可能な大きさの取付基板と、前記取付基板に取り付けられる前記貫通孔より小さな外形のダイヤル錠と、前記取付基板を扉体の前面に貼設するための貼設部材とから成る。前記ダイヤル錠は、前面の操作部に解錠符号を揃えるのに操作される複数個のダイヤルと家具本体の前面の開放された部分の周縁部に対して掛け金具を係脱させるのに操作されるつまみとを有し、前記取付基板には、取付基板を扉体の前面の決められた位置に位置決めしたときの前記貫通孔に対応する位置に、ダイヤル錠の外形に合わせた取付孔が形成されている。前記ダイヤル錠は、前記取付基板の取付孔に前記操作部を前面に臨ませた状態で取り付けることが可能に構成されている。
【００１３】
この発明による錠付替えユニットを用いて錠の付替えを行うには、取付基板に形成された取付孔にダイヤル錠を取り付けた後に、その取付基板を扉体の前面に組み付けるか、扉体の前面に取付基板を固着した後に、その取付基板にダイヤル錠を取り付ける。
この場合、取付基板の取付孔は扉体の貫通孔に対応する位置に形成され、その取付孔に外形が貫通孔より小さいダイヤル錠を取り付けるので、ダイヤル錠は貫通孔に嵌り込み、組み付けが可能である。
【００１４】
この発明の好ましい実施態様においては、前記貼設部材は、両面に粘着面を備えた粘着シートであり、一方の粘着面が取付基板の裏面に貼着され、他方の粘着面は剥離紙により被覆されている。
この実施態様によると、剥離紙を剥がすだけで、取付基板を扉体の前面に簡単に貼設することが可能である。
【発明の効果】
【００１５】
この発明によれば、ロッカーなどの家具を買い換えることなく、扉体に組み付けられた錠を簡単にダイヤル錠に付け替えることができるもので、安価な費用をもって鍵の紛失に伴うトラブルの発生を回避できる。
【図面の簡単な説明】
【００１６】
【図１】この発明による錠付替え方法によってダイヤル錠に付替えられたロッカーの部分を示す正面図である。
【図２】ダイヤル錠に付替えられたロッカーの扉体を裏面より見た図である。
【図３】取付基板の取付孔にダイヤル錠を取り付けてダイヤル錠組付ユニットを製作する工程を示す斜視図である。
【図４】図３のＡ−Ａ線に沿う断面図である。
【図５】ダイヤル錠が付替えられる前のロッカーの取っ手部分を示す正面図である。
【図６】取っ手が取り外された状態の扉体の部分を示す正面図である。
【図７】扉体にダイヤル錠組付ユニットが組み付けられた状態を示す水平断面図である。
【図８】この発明による他の錠付替え方法によって蓋板付きのダイヤル錠に付替えられたロッカーの部分を示す正面図である。
【図９】図８のロッカーにおいてダイヤル錠の蓋板が開かれた状態を示す正面図である。
【図１０】蓋板付きのダイヤル錠に付替えられたロッカーの扉体を裏面より見た図である。
【図１１】扉体の前面に貼設された取付基板の取付孔に蓋板付きのダイヤル錠を取り付ける工程を示す斜視図である。
【図１２】ダイヤル錠が付替えられる前のロッカーの取っ手部分を示す正面図である。
【図１３】取っ手およびシリンダ錠が取り外された状態の扉体の部分を示す正面図である。
【図１４】扉体の前面に貼設された取付基板の取付孔に蓋板付きのダイヤル錠が取り付けられた状態を示す水平断面図である。
【図１５】従来のロッカーを示す正面図である。
【図１６】ダイヤル錠の一例を示す正面図である。
【発明を実施するための形態】
【００１７】
図１および図２は、この発明による錠付替え方法によって図５に示すロッカーＲのシリンダ錠１４がダイヤル錠２に付替えられた状態を示している。図示のロッカーＲは、スチール製であって、ロッカー本体１０の前面の開放された部分１１に扉体１がヒンジ機構により開閉可能に取り付けられて成るものである。なお、この発明は、金属製のロッカーに限らず、木製のロッカー、さらにはロッカー以外の家具（例えばキャビネット）に組み付けられた錠を付け替える場合にも適用できる。
【００１８】
扉体１の前面の取っ手１３が取り付けられていた位置にダイヤル錠組付ユニット４が組み付けられている。このダイヤル錠組付ユニット４は、図３に示すように、矩形状をなすスチール製の取付基板３に形成された矩形状の取付孔３０にダイヤル錠２が取り付けられたものである。
【００１９】
取付基板３の裏面には、図４に示すように、取付基板３を扉体１の前面の決められた位置に固着するための貼設部材としての粘着シート３１が２枚貼設されている。各粘着シート３１は、両面に粘着面３２，３３を備えており、裏側の粘着面３２は取付基板３の裏面に貼着され、表側の粘着面３３は剥離紙３４により被覆されている。この剥離紙３４を剥がすことで取付基板３を扉体１の前面に貼設することが可能である。なお、貼設部材として、粘着シート３１に代えて、接着剤を用いることも可能である。
【００２０】
上記の取付基板３とダイヤル錠２と粘着シート３１とで錠付替えユニットが構成されており、ロッカーＲに組み付けられた取っ手１３やシリンダ錠１４の大きさ、位置などに応じて、取付基板３の大きさ、取付基板３に形成される取付孔３０の大きさおよび位置、粘着シート３１の大きさや形状などが決定されるとともに、最適な大きさのダイヤル錠２が選定される。
【００２１】
図５は、ダイヤル錠２に付け替えられる前のロッカーＲを示しており、扉体１の前面にシリンダ錠１４を一体に備えた取っ手１３が取り付けられている。
図６は、扉体１より取っ手１３およびシリンダ錠１４を取り外した状態を示しており、前記取付基板３は、取っ手１３を取り付けるために扉体１に形成されている貫通孔１５を扉体１の前面より覆うことが可能な大きさに形成されている。また、取付基板３には、取付基板３を扉体１の前面の決められた位置に位置決めしたときの前記貫通孔１５に対応する位置に、ダイヤル錠２の外形に合わせた取付孔３０が形成されている。
ダイヤル錠２は、取付基板３の取付孔３０に前面の操作部２０を前面に臨ませた状態で取り付けられるもので、ダイヤル錠２の胴体部２４が前記貫通孔１５に嵌りこむように貫通孔１５より小さな外形のものが選択される。
【００２２】
ダイヤル錠２の前面の操作部２０には、図３に示すように、解錠符号を揃えるのに操作される複数個のダイヤル２１と、ロッカー本体１０の前面の開放された部分の周縁部または周縁部に取り付けられた受け金具に対して掛け金具２３を正逆回動させて係脱させるのに操作されるつまみ２２とが設けられている。施錠に際しては、操作部２０の複数個のダイヤル２１を回動操作して解錠符号列を揃え、解錠状態にした後、つまみ２２の操作で掛け金具２３を回動させて受け金具などに係合させる。その後、ダイヤル２１を回動操作して解錠符号列を崩すと、施錠状態となる。解錠に際しては、ダイヤル２１を回動操作して解錠符号列を整列させ、解錠状態にした後、摘み２２の操作で掛け金具２３を前記と反対方向へ回動させて受け金具などとの係合を外す。
【００２３】
ダイヤル錠２は、図３および図７に示すように、取付基板３の取付孔３０に胴体部２４を嵌合しかつ操作部２０を取付基板３の前面に臨ませた状態で固定されている。胴体部２４内には錠機構が組み込まれており、前面の開口部には前面板２５が装着されている。この前面板２５上に操作部２０を構成する複数個のダイヤル２１とつまみ２２とが配設されている。
【００２４】
胴体部２４には、周方向へ張り出すフランジ部２６と、フランジ部２６の後面と溝間隙ｕを隔てて対向する複数個のバネ板部２７とが一体形成されている。胴体部２４を取付基板３の前面側より取付孔３０に嵌挿したとき、各バネ板部２７が取付孔３０の孔周縁により押されて圧縮変形し、取付孔３０の孔周縁が前記溝間隙ｕに係入したとき、各バネ板部２７が復元し、胴体部２４が抜け止め状態で取付基板３に固定される。
【００２５】
図５に示すロッカーＲの扉体１に組み付けられているシリンダ錠１４をダイヤル錠２に付け替えるには、まず、扉体１の前面に取っ手１３を取り付けるために形成された貫通孔１５の大きさや位置を計測し、それに応じたダイヤル錠組付ユニット４を製作する。ダイヤル錠組付ユニット４の取付基板３は、貫通孔１５を扉体１の前面より覆うことが可能な大きさに形成され、その取付基板３を扉体１の前面の決められた位置に位置決めしたときの前記貫通孔１５に対応する位置に、ダイヤル錠２の外形に合わせた取付孔３０が形成される。前記ダイヤル錠２は、前記取付基板３の取付孔３０に前記操作部２０を前面に臨ませた状態で取り付けられる。
【００２６】
図５に示すロッカーＲの扉体１より取っ手１３を取り外し、図６に示すように、扉体１の貫通孔１５を開放状態にした後、図７に示すように、扉体１の貫通孔１５にダイヤル錠２を嵌めこむようにしてダイヤル錠組付ユニット４を扉体１の前面の決められた位置に位置決めして、取付基板３を粘着シート３１により扉体１に貼設する。
なお、上記実施例では、取付基板３にダイヤル錠２を組み付けた後、そのダイヤル錠組付ユニット４を扉体１の前面に組み付けているが、以下に示す他の実施例のように、扉体１の前面に取付基板３を固着した後、その取付基板３の取付孔３０にダイヤル錠２を取り付けるようにしてもよい。
【００２７】
図８〜図１０は、この発明による他の錠付替え方法により図１２に示すロッカーＲのシリンダ錠１４がダイヤル錠５に付替えられた状態を示している。図示のロッカーＲも、スチール製であって、ロッカー本体１０の前面の開放された部分１１に扉体１がヒンジ機構により開閉可能に取り付けられたものである。扉体１の前面の取っ手１３およびシリンダ錠１４が取り付けられていた位置に矩形状をなすスチール製の取付基板３を介してダイヤル錠５が組み付けられている。取付基板３は図示しない粘着シートにより扉体１の前面に固着されている。
【００２８】
図１１は、取付基板３とダイヤル錠５と粘着シート３１とで構成される錠付替えユニットを示しており、ロッカーＲに組み付けられた取っ手１３やシリンダ錠１４の大きさ、位置などに応じて、取付基板３の大きさ、取付基板３に形成される取付孔３０の大きさおよび位置、粘着シート３１の大きさや形状などが決定されるとともに、最適な大きさのダイヤル錠５が選定される。
【００２９】
図１２は、ダイヤル錠５に付け替えられる前のロッカーＲを示しており、扉体１の前面にシリンダ錠１４と取っ手１３とが上下に取り付けられている。
図１３は、扉体１より取っ手１３およびシリンダ錠１４を取り外した状態を示しており、前記取付基板３は、取っ手１３およびシリンダ錠１４を取り付けるために扉体１に形成されている貫通孔１５，１６を扉体１の前面より覆うことが可能な大きさに形成されている。また、取付基板３には、取付基板３を扉体１の前面の決められた位置に位置決めしたときの前記貫通孔１５に対応する位置に、ダイヤル錠５の外形に合わせた取付孔３０が形成されている。
ダイヤル錠５は、図１４に示すように、取付基板３の取付孔３０に前面の操作部２０を前面に臨ませた状態で取り付けられるもので、ダイヤル錠５の胴体部２４が前記貫通孔１５に嵌りこむように貫通孔１５より小さな外形のものが選択される。
【００３０】
図示例のダイヤル錠５は、前面板２５に各ダイヤル２１の符号が見えないように縦並びのダイヤル２１を覆うことが可能な大きさの蓋板５０が左開きとなるように上下の左側端部がヒンジ機構により回動可能に支持された構造のものである。図８は蓋板５０を閉じた状態を示し、図９、図１１、および図１４は蓋板５０を開いた状態をそれぞれ示している。なお、ダイヤル錠５の他の構成は、前記した第１の実施例と同様であり、ここでは対応する構成に同一の符号を付することで説明を省略する。
【００３１】
図１２に示すロッカーＲの扉体１に組み付けられているシリンダ錠１４をダイヤル錠２に付け替えるには、まず、扉体１の前面に取っ手１３およびシリンダ錠１４を取り付けるために形成された貫通孔１５，１６の大きさや位置を計測し、それに応じた大きさの取付板３を製作するとともに、最適な大きさのダイヤル錠５を選定する。取付基板３は、上下の貫通孔１５，１６を扉体１の前面より覆うことが可能な大きさに形成され、その取付基板３を扉体１の前面の決められた位置に位置決めしたときの前記貫通孔１５に対応する位置に、ダイヤル錠５の外形に合わせた取付孔３０が形成される。
【００３２】
図１２に示すロッカーＲの扉体１より取っ手１３およびシリンダ錠１４を取り外し、図１３に示すように、扉体１の貫通孔１５，１６を開放状態にした後、図１４に示すように、取付基板３の取付孔３０が扉体１の貫通孔１５上に重なるようにして取付板３を扉体１の前面の決められた位置に位置決めして粘着シート３１により扉体１に固着する。その後、ダイヤル錠５をその胴体部２４が貫通孔１５に嵌るようにして取付基板３の取付孔３０に操作部２０を前面に臨ませた状態で取り付ける。
なお、上記実施例では、扉体１の前面に取付基板３を固着した後、その取付基板３の取付孔３０にダイヤル錠２を取り付けているが、これに限らず、取付基板３にダイヤル錠５を組み付けた後、そのダイヤル錠組付ユニットを扉体１の前面に組み付けるようにしてもよい。
上記した各実施例によると、扉体１の前面に取付基板３を固着し、その取付基板３にダイヤル錠２，５を取り付けるだけで、扉体１に特別な加工を施すことなく、簡単に錠を付替えることが可能である。
【符号の説明】
【００３３】
１    扉体
２，５  ダイヤル錠
３    取付基板
４    ダイヤル組付ユニット
１３  取っ手
１４  シリンダ錠
１５，１６  貫通孔
２０  操作部
２１  ダイヤル
２２  つまみ
３０  取付孔
３１  粘着シート
【図１】
2015031143.tif 000003
【図２】
2015031143.tif 000004
【図３】
2015031143.tif 000005
【図４】
2015031143.tif 000006
【図５】
2015031143.tif 000007
【図６】
2015031143.tif 000008
【図７】
2015031143.tif 000009
【図８】
2015031143.tif 000010
【図９】
2015031143.tif 000011
【図１０】
2015031143.tif 000012
【図１１】
2015031143.tif 000013
【図１２】
2015031143.tif 000014
【図１３】
2015031143.tif 000015
【図１４】
2015031143.tif 000016
【図１５】
2015031143.tif 000017
【図１６】
2015031143.tif 000018